(57)【特許請求の範囲】
【請求項１】
ＡＴＭ中継装置間における保守情報通信システムであって、前記保守情報を、中継セルのうち固定レートを有する特定セルの遅延量に変換して送信する送信手段と、前記特定セルの受信データタイミングから前記遅延量を検出して前記保守情報を再生する受信手段とを含むことを特徴とする保守情報通信システム。
【請求項２】
前記送信手段は、前記保守情報のビット値に応じて前記特定セルの遅延の有無を制御して前記中継セルの送信順序をスケジューリングする手段を有することを特徴とする請求項１記載の保守情報通信システム。
【請求項３】
前記受信手段は、前記特定セルの受信タイミング情報を抽出して一時的に記憶する手段と、この記憶手段における前回の受信タイミング情報と新たな受信タイミング情報とを負と正の値で表現して両者を加算する手段と、この加算結果に応じて前記遅延量を検出する手段とを有することを特徴とする請求項２記載の保守情報通信システム。
【請求項４】
ＡＴＭ中継装置間における保守情報を通信するための送信装置であって、前記保守情報を、中継セルのうち固定レートを有する特定セルの遅延量に変換して送信する送信手段を含むことを特徴とする送信装置。
【請求項５】
前記送信手段は、前記保守情報のビット値に応じて前記特定セルの遅延の有無を制御して前記中継セルの送信順序をスケジューリングする手段を有することを特徴とする請求項４記載の送信装置。
【請求項６】
ＡＴＭ中継装置間における保守情報を通信するため前記保守情報を、中継セルのうち固定レートを有する特定セルの遅延量に変換して送信するようにしたＡＴＭ中継システムにおける受信装置であって、前記特定セルの受信データタイミングから前記遅延量を検出して前記保守情報を再生する受信手段を含むことを特徴とする受信装置。
【請求項７】
前記受信手段は、前記特定セルの受信タイミング情報を抽出して一時的に記憶する手段と、この記憶手段における前回の受信タイミング情報と新たな受信タイミング情報とを負と正の値で表現して両者を加算する手段と、この加算結果に応じて前記遅延量を検出する手段とを有することを特徴とする請求項６記載の受信装置。
【発明の詳細な説明】
【０００１】
【発明の属する技術分野】
本発明はＡＴＭ（Asynchronous Transfer Mode）中継装置間保守情報通信システム及びそれに用いる送信装置並びに受信装置に関し、特にＡＴＭ中継装置の間で保守情報を通信するための通信方式に関するものである。
【０００２】
【従来の技術】
従来、ＡＴＭ中継装置間で任意の保守情報を通信するためには、保守情報通信専用にセルデータを挿入、分離する必要があった。図１３はこの様なＡＴＭ中継装置間での保守情報の通信システムにおける送信回路の一例を示すものであり、保守情報セルを挿入する場合の送信回路の一例である。
【０００３】
図１３を参照すると、送信回路５０１において、受信回路１０７より受信し、次段へ中継すべきセルデータはセルバッファ５０２へ格納される。保守情報送信装置１０５からの保守情報ビットは、保守情報セル生成回路５０３によって、保守情報専用セルとして固有のヘッダ情報にペイロードデータとして付加される。送信順序スケジュール生成回路５０４は、セルバッファ５０２からデータ種毎に決められたレートに従って送信セルデータを読み出して、送信順序をスケジュールし、さらに保守情報専用セルデータを決められた間隔で送信順序のスケジュールに挿入する。こうして得られたセルデータはセル送信回路５０５を介して次段の中継装置（図示せず）へ送出される。
【０００４】
図１４は保守情報セルを受信して補充情報を抽出する受信回路の一例を示す図である。図１３のセル送信回路５０５で送信されたセルデータを、中継回線を介して受信し、セルバッファ６０２に格納する。保守情報抽出回路６０３はセルバッファ６０２より保守情報専用セルの固有ヘッダ情報を有するセルデータを読み出し、そのペイロードデータから保守情報を抽出して、保守情報受信装置１０６へ送出する。
【０００５】
【発明が解決しようとする課題】
しかし、上述した従来技術は次のような問題がある。第１の問題点は、ＡＴＭ中継装置間を結ぶ回線レートを有効利用できないことである。その理由は、中継セルデータの他に保守情報専用セルを挿入するために、中継セルデータのレートに圧迫を与えてしまうからである。
【０００６】
第２の問題点は、保守情報を通信するための回路コストが高いということである。その理由は、送信側において保守情報を専用のセルデータとして生成するために、固有のヘッダ情報生成回路と、保守情報をペイロードデータに分割して送信する回路が要求され、受信側においても、受信した保守情報専用セルのペイロードデータより保守情報を組み立てて再生する回路が必要であり、これらの回路構成が複雑で規模が大きく、コスト高を招くからである。
【０００７】
本発明の目的は、回線レートを有効利用することができ、また低コストで保守情報通信を可能としたＡＴＭ中継装置間保守情報通信システム及びそれに用いる送信装置並びに受信装置を提供することである。
【０００８】
【課題を解決するための手段】
本発明によれば、ＡＴＭ中継装置間における保守情報通信システムであって、前記保守情報を、中継セルのうち固定レートを有する特定セルの遅延量に変換して送信する送信手段と、前記特定セルの受信データタイミングから前記遅延量を検出して前記保守情報を再生する受信手段とを含むことを特徴とする保守情報通信システムが得られる。
【０００９】
そして、前記送信手段は、前記保守情報のビット値に応じて前記特定セルの遅延の有無を制御して前記中継セルの送信順序をスケジューリングする手段を有することを特徴とする。また、前記受信手段は、前記特定セルの受信タイミング情報を抽出して一時的に記憶する手段と、この記憶手段における前回の受信タイミング情報と新たな受信タイミング情報とを負と正の値で表現して両者を加算する手段と、この加算結果に応じて前記遅延量を検出する手段とを有することを特徴とする。
【００１０】
また本発明によれば、ＡＴＭ中継装置間における保守情報を通信するための送信装置であって、前記保守情報を、中継セルのうち固定レートを有する特定セルの遅延量に変換して送信する送信手段を含むことを特徴とする送信装置が得られる。
【００１１】
さらに本発明によれば、ＡＴＭ中継装置間における保守情報を通信するため前記保守情報を、中継セルのうち固定レートを有する特定セルの遅延量に変換して送信するようにしたＡＴＭ中継システムにおける受信装置であって、前記特定セルの受信データタイミングから前記遅延量を検出して前記保守情報を再生する受信手段を含むことを特徴とする受信装置が得られる。
【００１２】
本発明の作用を述べる。ＡＴＭ（非同期転送モード）の中継装置間において、保守情報を通信する機能を目的とし、送信する保守情報をセル遅延量の情報に変換し、中継するセルデータのうち特定のセルデータを対象に、変換した遅延量情報に従って遅延付加制御をかけてセル送信することで保守情報を伝送し、受信側で遅延制御された特定のセルデータに生じる受信遅延変動量の情報から、保守情報を再生することで通信を行う。
【００１３】
さらに詳述すると、送信回路側において、保守情報ビットは遅延情報変換回路によって制御対象のセルデータに加える遅延量の情報へ変換される。すなわち、保守情報ビットが“１”のときは遅延を付加、保守情報ビットが“０”のときは遅延付加無しという情報へ変換される。セル分離回路は受信した中継すべきセルデータのうち、固定レートの特定のセルデータを選択してセルバッファへ格納する。送信順序スケジュール生成回路は、遅延情報変換回路の出力する遅延量情報に従って、セルバッファに格納されたセルデータに一時的な遅延量を付加して送信順序をスケジュールする。
【００１４】
受信回路側において、セル受信回路は上述したセル送信回路の送信セルデータを受信し、セル受信タイミング抽出回路によって、送信側で遅延付加制御されたセルデータを受信したタイミングを抽出し、シフトレジスタ及び演算器の作用により、遅延付加制御されたセルデータの遅延変動量を抽出する。固定レートのセルデータであるため、遅延付加制御が無ければ遅延変動量は無く、受信した保守情報は“０”と判定される。遅延変動が検出されれば、受信した保守情報は“１”と判定される。
【００１５】
【発明の実施の形態】
以下に図面を参照しつつ本発明の実施例を説明する。図１は本発明の一実施例のシステムブロック図である。ＡＴＭ中継装置において、対向する装置間で保守情報を通信するための機能構成を図１に示す。ＡＴＭ中継装置１０１とＡＴＭ中継装置１０２は、中継回線により遠隔で対向する。受信回路１０７によって回線網１０９よりセルデータを受信し、ＡＴＭ中継に必要なデータ処理を施した後で送信回路１０３によって次段のＡＴＭ中継装置１０２へ送信する。
【００１６】
送信回路１０３は、回線網１０９より中継するセルデータのうち、固定レートの、ある特定のセルデータを選択し、そのセルデータを中継する際に、保守情報送信装置１０５の出力する保守情報に応じて一時的な遅延量を加えて送信するような送信スケジュール機能を有する。ＡＴＭ中継装置１０２は受信回路１０４によってＡＴＭ中継装置１０１から送信されたセルデータを受信し、ＡＴＭ中継に必要なデータ処理を施した後で、送信回路１０８によって次段の回線網１１０へ送信する。
【００１７】
受信回路１０４は、送信回路１０３が遅延付加制御した特定のセルデータ受信タイミングを抽出し、データ受信タイミングの一時的な遅延量の変化を保守情報として検出し、保守情報受信回路１０６へ出力する機能を有する。ＡＴＭ中継装置１０１と１０２は、回線網１１０から１０９への中継に対しても同様の送受信回路を有しており、保守情報送信装置１１３から保守情報受信装置１１４への通信が可能である。
【００１８】
送信回路１０３の構成を図２に示す。セル分離回路２０１は、受信回路１０７より転送されるセルデータから、固定レートの特定のセルデータを抜き出してセルバッファ２０２へ格納し、その他のセルは異なるセルバッファ２０３へ格納する。遅延情報変換回路２０４は、保守情報送信装置１０５の出力する保守情報ビットの値をセルに加えるべき遅延情報へ変換する。送信順序スケジュール生成回路２０５は、中継すべきセルデータを、予めデータ種毎に決められたセルレートに従った送信間隔で送信するための送信順序スケジュールを計算する。
【００１９】
また、送信順序スケジュールの計算において、遅延情報変換回路２０４の遅延量情報によって遅延付加制御する対象のセルデータに対しては、正確な送信間隔になるよう最優先で送信順序を配置する。送信順序スケジュール生成回路２０５は、計算した送信順序スケジュールに従ってセルバッファ２０３及びセルバッファ２０２よりセルデータを読み出し、セル送信回路２０６へ転送する。
【００２０】
次に、受信回路１０４の構成を図３に示す。図２のセル送信回路２０６で送信されたセルデータを、中継回線を介してセル受信回路３０１で受信する。セル受信回路３０１は、データ種に関係なくセル単位で受信タイミングを抽出し、シフトレジスタ３０３のシフトクロックとしてセル受信タイミングを出力する。シフトレジスタ３０３は、セル受信回路３０１がセルをひとつ受信する度に１回データシフトする。
【００２１】
セル受信回路３０１は受信した順序を保ったままセルデータを送信回路１０８へ転送する。セル受信タイミング抽出回路３０２はセル受信回路３０１からセル送信回路１０８へ転送されるセルデータをモニタし、送信回路１０３が保守情報によって遅延付加制御した、特定のセルデータが通過するタイミングを抽出する機能を有する。セル受信タイミング抽出回路３０２が抽出したタイミングで、シフトレジスタ３０３のデータには“１”が入力され、その他の状態では“０”が入力される。シフトレジスタ３０３のレジスタ段数は、セル受信タイミング抽出回路３０２がタイミング抽出対象としているセルデータの遅延付加されていないときのセル受信間隔による。
【００２２】
例えば、全体のセルデータ通過量に対して、５セルに１回の割合で対象セルが通過する場合は、シフトレジスタ３０３のレジスタ段数は５段とする。シフトレジスタ３０３の初段の値と最終段の値を演算器３０４に入力する。演算器３０４では、シフトレジスタ３０３の初段の値を乗算器３０５で１を乗算、シフトレジスタ３０３の最終段の値と乗算器３０６で−１を乗算して両乗算器の演算結果を加算器３０７で加算する。さらに、累積加算器３０８で加算器３０７の演算結果を累積加算した値を符号変換回路３０９へ出力する。
【００２３】
演算器３０４はシフトレジスタ３０３が１回シフトする度に演算結果を１回出力する。符号変換回路３０９は、演算器３０４が出力する特定のデータパターンを保守情報ビット“１”として変換し、また別の特定のデータパターンを保守情報ビット“０”として変換して保守情報受信装置１０６へ出力する。
【００２４】
図１に示すＡＴＭ中継装置構成において、ＡＴＭ中継装置１０１の保守情報をＡＴＭ中継装置１０２へ送信する動作について説明する。図１の回線網１０９や１１０に流れるＡＴＭのセルデータは、宛先情報等を含むヘッダ情報部分と、ユーザデータを含むペイロード情報部分とからなり、ヘッダ情報部分はデータ種毎に固有である。また、ＡＴＭのセルデータは、データ種毎に固定レートや可変レート、最高レートや最低レートなど通信特性が個別に決められ管理される。
【００２５】
ＡＴＭ中継装置１０１では、受信回路１０７が回線網１０９から受信したセルデータのうち、保守情報によって遅延付加制御する対象になる、固定レートの特定のセルデータを予め選択しておく。図２の送信回路１０３において、セル分離回路２０１は、受信回路１０７から転送されるセルデータのうち、予め選択しておいた特定のセルデータの固有ヘッダ情報と比較し、一致したセルデータはセルバッファ２０２へ格納し、不一致となったその他のセルデータはセルバッファ２０３へ格納する。
【００２６】
一方、保守情報送信装置１０５はＡＴＭ中継装置１０２へ転送すべき任意の保守情報を２進のシリアルデータビットとして出力する。遅延情報変換回路２０４は保守情報送信装置１０５の保守情報ビットの値が“１”であれば遅延付加対象セルデータを１セル分遅延、保守情報ビットが“０”であればセル遅延無しとする制御情報を送信順序スケジュール生成回路２０５に与える。送信順序スケジュール生成回路２０５は、セルバッファ２０２へ格納された遅延付加制御の対象セルデータを、図４のフローに従って送信スケジュールを組み立てる。
【００２７】
保守情報ビット入力が“０”である場合、遅延情報変換回路２０４から遅延制御無しの情報が与えられるため、遅延を加えないよう送信スケジュールされる。遅延付加制御の対象としたセルデータは固定レートの特性をもつため、セルデータの送信は等間隔にスケジュールされる。
【００２８】
また、図４のフローのとおり、ひとつの保守情報ビット“０”に対して、２回の等間隔スケジュールを行う。本実施例の説明では、遅延付加制御対象セルデータのレートは、全体のセルデータ転送量に対して、５セルに１回の割合で等間隔にスケジュールされるものとする。図５の（ａ）は、ひとつの保守情報ビット“０”に対して遅延制御対象のセルデータＡをスケジュールした結果で、前回の送信タイミングに対して５セルに１回の割合で２回分送信する。保守情報ビット入力が“１”である場合、遅延情報変換回路２０４から１セル遅延制御の情報が与えられるため、一次的な１セル分の遅延を加えるよう送信スケジュールされる。図４のフローのように、１セル分だけ遅延するよう後方にスケジュールした後、次のスケジュールでは１セル分早く送信するように制御する。
【００２９】
図５の（ｂ）は、ひとつの保守情報ビット“１”に対して遅延制御対象のセルデータＡをスケジュールした結果で、前回の送信タイミングに対して１セル分遅い６セル後に一度送信し、次に１セル分早い４セル後に送信する。このようにスケジュールすることで、保守情報ビット“１”が連続した場合でも平均したセル送信間隔は５セルに１回となり、固定レートの特性を維持できる。また、送信スケジュール生成回路２０５は、セルバッファ２０３に格納されたセルデータを、各データ種のセルレートに従って送信間隔を計算し、図５のＸで示す位置へスケジュールする。
【００３０】
次に、図１に示すＡＴＭ中継装置構成において、ＡＴＭ中継装置１０１よりＡＴＭ中継装置１０２へ転送されたセルデータから保守情報を抽出して受信する動作について説明する。図３の受信回路１０４において、セル受信回路３０１は、図２のセル送信回路２０６で送信されたセルデータを、中継回線を介して受信する。セル受信回路３０１は、受信したセルの境界を検出し、ひとつのセルデータを受信する度にパルス信号をシフトレジスタ３０３のシフトクロックとして出力する。セル受信タイミング抽出回路３０２は、セル送信回路１０８へ転送されるセルデータに対して、遅延制御されたセルデータの固有ヘッダ情報と比較し、一致したセルデータを検出した場合は“１”のデータをシフトレジスタ３０３へ入力し、一致しない場合は“０”のデータをシフトレジスタ３０３へ入力する。
【００３１】
図６は、図３の演算器３０４の出力が“０”である状態から、保守情報ビット“０”の情報を含んだセルデータ群を受信した場合の動作例である。受信セルデータは、保守情報ビットが“０”であることから、遅延制御対象のセルデータＡが５セルに１回の割合で含まれている。セルデータＡを受信したところでシフトレジスタ３０３に“１”の値が入力され、シフトレジスタ初段の値が“１”となり、最終段である５段目の値も前回のセルデータＡの受信から５回シフトされ“１”となる。これにより、演算器３０４内の加算器３０７の出力は、１×１＋１×（−１）＝０となり、累積加算器３０８の前回の値が０であれば、演算結果は“０”である。
【００３２】
図６のように、ひとつの保守情報ビット“０”を含んだセルデータ群に対して、演算器３０４の演算結果出力は“００００００００００”というパターンになる。尚、遅延制御対象のセルデータＡが一度も入力されていない初期状態においては、演算器３０４内の累積加算器３０８の初期値を“−１”としておく。この初期値により、セルデータＡが５セル間隔で入力された状態で、演算器３０４の出力を“０”に維持できる。
【００３３】
図７は、演算器３０４の出力が“０”である状態から、保守情報ビット“１”の情報を含んだセルデータ群を受信した場合の動作例である。受信セルデータは、保守情報ビットが“１”であることから、遅延制御対象のセルデータＡが前回の受信タイミングに対して１セル遅延して受信した後、次に１セル早く受信している。前回のセルデータＡを受信してから５セル受信したところでは、シフトレジスタ３０３に“０”の値が入力され、シフトレジスタ初段の値が“０”となり、最終段である５段目の値も前回のセルデータＡの受信から５回シフトされ“１”となる。これにより、演算器３０４内の加算器３０７の出力は、０×１＋１×（−１）＝−１となり、累積加算器３０８の前回の値が０であれば、演算結果は“−１”である。
【００３４】
次のセルデータ受信時では、１セル遅れてセルデータＡが受信されるため、シフトレジスタ３０３に“１”の値が入力され、シフトレジスタ初段の値が“１”となり、最終段である５段目の値は１回シフトされ“０”となる。これにより、演算器３０４内の加算器３０７の出力は、１×１＋０×（−１）＝１となり、累積加算器３０８の前回の値が−１なので、演算結果は“０”になる。この後３セル分の受信において演算器３０４の出力は“０”が続き、その次に１セル早いセルデータＡを受信する。このときシフトレジスタ３０３に“１”の値が入力され、シフトレジスタ初段の値が“１”となり、最終段である５段目の値は“０”である。これにより、演算器３０４内の加算器３０７の出力は、１×１＋０×（−１）＝１となり、累積加算器３０８の前回の値が０なので、演算結果は“１”になる。
【００３５】
次のセルデータ受信時では、シフトレジスタ３０３に“０”の値が入力され、シフトレジスタ初段の値が“０”となり、最終段である５段目の値は１回シフトされて、前回のセルデータＡを受信した値が入り“１”となる。これにより、演算器３０４内の加算器３０７の出力は、０×１＋１×（−１）＝−１となり、累積加算器３０８の前回の値が１なので、演算結果は“０”になる。この後少なくとも、３セル分の受信において演算器３０４の出力は“０”が続く。
【００３６】
以上の動作から、図７のように、ひとつの保守情報ビット“１”を含んだセルデータ群に対して、演算器３０４の演算結果出力は“−１００００１００００”というパターンになる。
【００３７】
図３の符号変換回路３０９は、演算器３０４の演算結果出力パターンを図８に示す状態遷移図に従って保守情報ビットへ変換して保守情報受信装置１０６へ出力する。例えば、“−１００００１００００・００００００００００・−１００００１００００”の連続パターンは保守情報シリアルビット“１０１”へ変換される。図８の状態遷移図に示す以外の演算結果出力パターンが発生した場合は、保守情報ビットの受信エラーとして認識することができる。
【００３８】
本実施例の受信回路１０４において、符号変換回路３０９の変わりに累積加算器４０２を追加した構成の受信回路４０１を複数用意することで、セルレート特性が決められた複数のセルデータを対象に、平均レートの変動を監視することが可能である。図１０はセルデータの受信間隔が５セル間隔と規定されたセルデータを、短い３セル間隔で受信した場合の動作例である。
【００３９】
図１０のように、５セル間隔から３セル間隔に受信間隔が変化すると、演算器３０４の出力パターンは“１１０１１０・・”と変化する。また、４セル間隔では“１０００１０００…”に変化する。３セル間隔よりさらに受信間隔が短くなると演算器３０４の演算結果は“２”以上の値を出力するようになる。
【００４０】
図１１はセルデータの受信間隔が５セル間隔と規定されたセルデータを、長い７セル間隔で受信した場合の動作例である。５セル間隔から７セル間隔に受信間隔が変化すると、演算器３０４の出力パターンは“−１−１０００００−１−１０００００・・”と変化する。受信回路４０１の累積加算器４０２の演算結果出力は、図１０のように３セル間隔の受信が２回連続すると“４”となり、図１１のように７セル間隔の受信が２回連続すると“−４”となる。３セル間隔２回と７セル間隔２回の受信が連続した場合は、累積加算器４０２の演算結果出力は“０”になる。このように、累積加算器４０２の演算結果は、セル受信間隔の平均が規定の５セル間隔となる場合は“０”、セル受信間隔が規定を上回る場合は正、規定を下回る場合は負の値として出力される。受信レート監視装置４０３は演算器４０１の出力値の変化を監視し、図１２の状態遷移図のように受信セルデータの平均レートを判断する。さらに、負の下限値を設けることにより、セルデータの受信断状態も判断可能である。
【００４１】
【発明の効果】
本発明による第１の効果は、ＡＴＭ中継装置間を結ぶ回線レートを有効利用できることである。その理由は、保守情報をセル遅延量情報へ変換し、中継する一部のセルデータに対して遅延量付加制御することで保守情報の伝送を実現しているので、保守情報専用セルを使用した場合のように回線レート消費を生じないからである。
【００４２】
第２の効果は、低コストで保守情報通信を可能としていることである。その理由は、保守情報の送信データビットの値によって、遅延制御の対象となるセルデータの送信スケジュールを変更するだけの簡単な送信回路の構成と、シフトレジスタと小数の演算器によって、遅延制御されたセルデータの遅延変動情報を抽出する簡単な受信回路の構成により、回路規模が小さく済むことと、原理的に保守情報の通信量に対する回線使用料が生じないからである。
【００４３】
第３の効果は、受信回路において、簡単な回路の付加によりセルデータの平均レート変動を容易に監視できることである。その理由は、保守情報を受信する回路が、連続する受信セルデータ間の遅延量変化を検出する目的で構成されており、遅延量変化の増加、減少を検出した値を累積して評価する回路を付加するだけで、平均レート変動を監視できるからである。
【図面の簡単な説明】
【図１】本発明の一実施例の構成を示すシステムブロック図である。
【図２】図１の送信回路の例を示すブロック図である。
【図３】図１の受信回路の例を示すブロック図である。
【図４】図２の送信順序スケジュール生成回路の動作フローである。
【図５】図２の送信順序スケジュール生成回路によるセル送信タイミングの例を示す図である。
【図６】図３の演算器の動作の一例を示す図である。
【図７】図３の演算器の動作の他の例を示す図である。
【図８】図３の符号変換回路の変換状態を示す図である。
【図９】図１の受信回路の他の例を示すブロック図である。
【図１０】図９の受信回路の動作例を示す図である。
【図１１】図９の受信回路の動作の他の例を示す図である。
【図１２】図９の受信レート監視装置の動作を示す図である。
【図１３】従来例の送信回路を示す図である。
【図１４】従来例の受信回路を示す図である。
【符号の説明】
１０１，１０２  ＡＴＭ中継装置
１０３，１０８，１１１，１１６  送信回路
１０４，１０７，１１２，１１５  受信回路
１０９，１１０  回線網
１０５，１１３  保守情報送信装置
１０６，１１４  保守情報受信装置
２０１  セル分離回路
２０２，２０３  セルバッファ
２０４  遅延情報変換回路
２０５  送信順序スケジュール生成回路
２０６  セル送信回路
３０１  セル受信回路
３０２  セル受信タイミング抽出回路
３０３  シフトレジスタ
３０４  演算器
３０９  符号変換回路
【図１】
0003636999.tif 000002
【図２】
0003636999.tif 000003
【図３】
0003636999.tif 000004
【図４】
0003636999.tif 000005
【図５】
0003636999.tif 000006
【図６】
0003636999.tif 000007
【図７】
0003636999.tif 000008
【図８】
0003636999.tif 000009
【図９】
0003636999.tif 000010
【図１０】
0003636999.tif 000011
【図１１】
0003636999.tif 000012
【図１２】
0003636999.tif 000013
【図１３】
0003636999.tif 000014
【図１４】
0003636999.tif 000015